(57)【特許請求の範囲】
【請求項１】
流し台等に備えられる引出し式の収納庫に収納される米びつにおいて、定量ずつ米を取り出す定量取り出し機構の操作レバーと、取り出した所定分量の米を受ける取り出しトレイの取出口とを有し、前記操作レバーと取り出しトレイの取出口がケーシングの左右両側面に配置されていることを特徴とする米びつ。
【請求項２】
請求項１に記載の米びつにおいて、取り出しトレイは一個のみ設けられており、且つケーシングの左右両側面に設けられる二方向の取出口から差し込めるように構成したことを特徴とする米びつ。
【請求項３】
請求項１または２に記載の米びつにおいて、定量取り出し機構の操作レバーは一端に扇形ラックを備え、回動軸を挟んで他端をケーシングの左右両側面方向に屈曲形成したＴ字形の操作竿に対して設けられていることを特徴とする米びつ。
【請求項４】
請求項１〜３のいずれかに記載の米びつにおいて、ケーシングはガイドレールによって引出し自在に支持され、且つケーシングの前面には流し台等の外観の一部を構成する化粧板が取り付けられていることを特徴とする米びつ。
【発明の詳細な説明】
【０００１】
【発明の属する技術分野】
本発明は定量ずつ米を取り出すことのできる定量取り出し機構を備える米びつに係り、特に引き出し式の収納庫に収納される米びつに関する。
【０００２】
【従来の技術】
台所の流し台のシンク下方に設けられる収納庫について、最近では観音開き式のものに代わって引き出し式のものが採用されている。これは食器等の収納物が取り出しやすいからであり、特に収納庫の奥に置いてある物を取り出すのに極めて便利である。
一方、台所で使用されるものに米を貯留し、必要に応じて定量ずつ米を取り出すことのできる定量取り出し式の米びつがある。この米びつは、多くは流し台の下部にある観音開き式収納庫に収納されており、従来においては、前面を覆う扉を開いて使用するといった形態で利用されていた。
【０００３】
上記した引き出し式の収納庫に米びつを備えようとした場合、前面側に開く扉がないので、米びつの操作レバーや米を受ける取り出しトレイを米びつ本体の側面に設ける必要がある。
【０００４】
【発明が解決しようとする課題】
しかしながら、操作レバーや取り出しトレイを米びつ本体の側部に設けると、米びつを収納する収納庫の左右いずれか一方側に壁が迫っている等のレイアウト上の問題がある場合には、操作レバーが操作し難くなったり、取り出しトレイの出し入れに支障をきたしてしまうおそれがある。
本発明は上記従来の問題点に着目してなされたものであり、米びつを収納する引き出し式収納庫の左右いずれの側に壁が迫っている場合等においても、操作レバーが操作し難くなったり、取り出しトレイの出し入れに支障をきたすことがない米びつを提供することを目的とするものである。
【０００５】
【課題を解決するための手段】
上記課題を解決するために請求項１記載の発明の米びつは、流し台等に備えられる引出し式の収納庫に収納される米びつにおいて、定量ずつ米を取り出す定量取り出し機構の操作レバーと、取り出した所定分量の米を受ける取り出しトレイの取出口とを有し、前記操作レバーと取り出しトレイの取出口がケーシングの左右両側面に配置されていることを特徴とするものである。
【０００６】
請求項２記載の発明の米びつは、請求項１に記載の米びつにおいて、取り出しトレイは一個のみ設けられており、且つケーシングの左右両側面に設けられる二方向の取出口から差し込めるように構成したことを特徴とするものである。
【０００７】
請求項３記載の発明の米びつは、請求項１または２に記載の米びつにおいて、定量取り出し機構の操作レバーは一端に扇形ラックを備え、回動軸を挟んで他端をケーシングの左右両側面方向に屈曲形成したＴ字形の操作竿に対して設けられていることを特徴とするものである。
【０００８】
請求項４記載の発明の米びつは、請求項１〜３のいずれかに記載の米びつにおいて、ケーシングはガイドレールによって引出し自在に支持され、且つケーシングの前面には流し台等の外観の一部を構成する化粧板が取り付けられていることを特徴とするものである。
【０００９】
【発明の実施の形態】
以下、本発明の実施の形態に係る米びつ１についてに説明する。
図１に示すように、米びつ１は流し台３の引き出し式収納庫４に収容されている。米びつ１を使用しないときには引き出し式収納庫４が閉められて、流し台３の下部スペース内に収容されており、流し台３の前面を覆う化粧板５によって隠蔽されている。米びつ１の使用時には流し台３の前方に引き出され、米Ｒの所定分量の取り出しに使用される。
米びつ１は直方体状のケーシング７の内部に米Ｒを貯留しておくための貯留部９と、定量ずつ米Ｒを取り出すための定量取り出し機構１１と、取り出した所定分量の米Ｒを受けるための取り出しトレイ１３とを備えている。
【００１０】
ケーシング７の上面は開放されていて、上蓋１５が着脱自在に取り付けられている。上蓋１５を取り外すと、その下方に貯留部９が設けられている。貯留部９はケーシング７の内部空間を上下に仕切る傾斜案内板１７によって形成されていて、傾斜案内板１７を含んだ上方空間が貯留部９となっている。
傾斜案内板１７にはケーシング７の前後左右の壁面から中心に向かって下方に傾斜する傾斜案内面１９が形成されていて、その中心に矩形状の開口２１が設けられている。
【００１１】
開口２１の下方には定量取り出し機構１１が配置されている。定量取り出し機構１１には、下方が開放された円筒状のガイドドラム２３が備えられている。またガイドドラム２３の内部には同じく円筒状の計量ドラム２５が回動自在に内嵌めされている。
計量ドラム２５の側周面の一部は開放されていて貯留部９内に貯留されている米Ｒの受取口及び計量した所定分量の米Ｒの取出口となっている。
また計量ドラム２５の開放されていない側周部は貯留部９の開口２１を閉鎖するシャッタとしての役割と、ガイドドラム２３と嵌合する摺接面としての役割を有している。
【００１２】
計量ドラム２５の中心には計量ドラム２５と一体に回動軸２７が設けられていて、この回動軸２７はガイドドラム２３の端面に形成されている軸受部２９によってケーシング７の前後方向に、水平に支持されている。
回動軸２７の一端には、かさ歯車によって形成されるピニオンギヤ３１が設けられている。このピニオンギヤ３１には、これと噛み合う扇形ラック３３を一端に備える操作竿３５が接続されている。
【００１３】
操作竿３５は上方から見てＴ字形をしており、扇形ラック３３が設けられていない他方の端部はケーシング７の左右両側面方向に直角に屈曲形成され、二股に分かれている。
これらの端部にはケーシング７の左右両側面を貫き、突出して配置される操作レバー３７が設けられている。
【００１４】
また操作竿３５の中央やや扇形ラック３３寄りの部分には、ケーシング７の左右両側面方向に延びる回動軸３９が設けられており、操作竿３５はこの回動軸３９を中心として一定角度の範囲で揺動できる構成になっている。
また回動軸３９にはねじりコイルバネ４１が取り付けられていて、常時操作レバー３７が上方に偏寄し、貯留部９の開口２１が開放された状態となるよう計量ドラム２５を付勢している。
【００１５】
ガイドドラム２３の下方には角箱状の取り出しトレイ１３が設けられている。取り出しトレイ１３は一個のみ設けられていて、ケーシング７の左右両側面に形成されている二つの取出口４３を適宜選択し、いずれの方向からでも差し込める構成になっている。
また図６において符合４５は目隠し板を示し、この目隠し板４５は使用しない取出口４３を閉鎖し、目隠しするのに使用される。
【００１６】
このような米びつ１は流し台３の架台に据え付けられるガイドレール４７によって流し台３の前後方向に引出し自在に支持されている。ガイドレール４７は複数のレールが入れ子状に組み合わさった多段スライド式の構造を有している。
【００１７】
一方、ケーシング７の底面には図７に示すようにガイドレール４７に係合するスライダ５１が設けられている。
符合５３はスペーサを示し、このスペーサ５３は種々のタイプのガイドレール４７及びスライダ５１に適用できるように必要に応じて設けられる。
また、ケーシング７の前面には化粧板５が取り付けられ、米びつ１を流し台３の下部スペースに収納した状態では外部から視認できない構成になっている。
【００１８】
次に米びつ１を流し台３に据え付ける場合の手順と、米びつ１を使用して定量の米Ｒを取り出す手順について説明する。
最初に流し台３のレイアウトを確認し、ケーシング７の左右両側面のいずれを選択して使用するかを決定する。すなわち収納庫４の左側に壁が迫っている場合にはケーシング７の右側面を選択し、収納庫４の右側に壁が迫っている場合にはケーシング７の左側面を選択する。
選択した側面の取出口４３に対して取り出しトレイ１３を差し込み、他方の側面の取出口４３には目隠し板４５を嵌める。次にケーシング７の底面に設けられているスライダ５１をガイドレール４７に係合させ、米びつ１の前面に化粧板５を取り付ける。
【００１９】
米びつ１を使用する場合は化粧板５に設けられるハンドル４９に手を掛けて手前に引き出す。ケーシング７は多段スライド式のガイドレール４７に案内されて流し台３の前方に大きく引き出される。
必要な米Ｒの分量に対応して操作レバー３７に指を掛け、必要な回数だけ操作レバー３７を下方に押し下げる。操作レバー３７が下方に押し下げられると、回動軸３９を中心として操作竿３５は所定の角度揺動する。
【００２０】
これに伴い、操作竿３５の先端に設けられている扇形ラック３３が上方に移動するようになり、扇形ラック３３と噛み合うピニオンギヤ３１を所定の角度回転させる。
ピニオンギヤ３１の回転は回動軸２７を介して計量ドラム２５に伝達され、計量ドラム２５を所定の角度回転させる。計量ドラム２５内に収容されていた所定分量の米Ｒは計量ドラム２５の回転に伴って、下方の取り出しトレイ１３内に排出される。
なお、このとき計量ドラム２５の側周面が貯留部９の開口２１を閉鎖しているため、貯留部９内に貯留されている米Ｒの計量ドラム２５への流入は阻止されている。
【００２１】
上記のように本発明では定量取り出し機構１１の操作レバー３７がケーシング７の左右両側面に備えられ、しかも取り出しトレイ１３の取出口４３がケーシング７の壁が迫っていない側の側面に配置されているから、操作レバー３７が操作しやすく、しかも取り出しトレイ１３の取り出し及び収納に支障をきたすことはない。すなわちケーシング７の左右両側面に操作レバー３７と取出口４３を配置し、加えて一個の取り出しトレイ１３をケーシング７の左右いずれの側面からも差し込める構成としたことにより流し台３のレイアウトによって一々仕様を替える等の必要はなく、汎用性、使い勝手が向上する。
【００２２】
以上、本発明の実施の形態について詳述してきたが、具体的な構成はこの実施の形態に限られるものではなく、本発明の要旨を逸脱しない範囲における設計の変更などがあっても本発明に含まれる。
例えば操作レバー３７の動きを計量ドラム２５に伝達する機構としては図８に示すように平歯車によって構成される二組の扇形の駆動ギヤ５５と、この駆動ギヤ５５と噛み合い、計量ドラム２５と一体に回転する従動ギヤ５７と、この従動ギヤ５７と一方の駆動ギヤ５５との間に介在される中間ギヤ５９とを備える機構を採用することも可能である。
【００２３】
このような機構を採用した場合には左右いずれの操作レバー３７を下方に押し下げても、従動ギヤ５７は常に一定の方向に回転するから前記実施の形態と同様の作用を奏することができる。
また計量ドラム２５の回転を図示しないモータで行い、ケーシング７の左右両側面に設けられる操作レバー３７をスイッチレバーとして使用し、電気的に米Ｒの定量取り出しを行なうようにすることも可能である。
【００２４】
【発明の効果】
本発明によれば引き出し式収納庫に米びつを設置でき、流し台等のレイアウトの変更等にも速やかに対応できる。
【図面の簡単な説明】
【図１】本発明の実施の形態に係る米びつの使用状態を示す斜視図である。
【図２】本発明の実施の形態に係る米びつの内部を透視して示す斜視図である。
【図３】本発明の実施の形態に係る米びつにおける定量取り出し機構を示す斜視図である。
【図４】図３中Ａ−Ａ線で破断した状態を示す断面図である。
【図５】図４中Ｂ−Ｂ線で破断した状態を示す断面図である。
【図６】本発明の実施の形態に係る米びつにおける取り出しトレイを取り出した状態を示す左側面側からの斜視図である。
【図７】本発明の実施の形態に係る米びつをガイドレールに支持させた状態を示す正面図である。
【図８】計量ドラムと操作レバーの間に設けられる他の駆動伝達機構の概略を示す説明図である。
【符号の説明】
１  米びつ                    ３  流し台
４  引き出し式収納庫          ５  化粧板
７  ケーシング                ９  貯留部
１１  定量取り出し機構        １３  取り出しトレイ
１５  上蓋                    １７  傾斜案内板
１９  傾斜案内面              ２１  開口
２３  ガイドドラム            ２５  計量ドラム
２７  回動軸                  ２９  軸受部
３１  ピニオンギヤ            ３３  扇形ラック
３５  操作竿                  ３７  操作レバー
３９  回動軸                  ４１  ねじりコイルバネ
４３  取出口                  ４５  目隠し板
４７  ガイドレール            ４９  ハンドル
５１  スライダ                ５３  スペーサ
５５  駆動ギヤ                ５７  従動ギヤ
５９  中間ギヤ                Ｒ    米
【図１】
0003726077.tif 000002
【図２】
0003726077.tif 000003
【図３】
0003726077.tif 000004
【図４】
0003726077.tif 000005
【図５】
0003726077.tif 000006
【図６】
0003726077.tif 000007
【図７】
0003726077.tif 000008
【図８】
0003726077.tif 000009